(57)【要約】【課題】プリント配線基板１、２上に配置される内部ＡＮＴとＲＦ回路の配置が逆の場合でも、スイッチ付き同軸コネクタ１０のリバース実装で対応でき、スイッチ付き同軸コネクタ１０の共通化を図ること。【解決手段】ノーマルクローズ端子３、コモン端子４、インシュレータ５、シェル６及びハウジング７を具備し、プリント配線基板１、２の端縁の切欠部１１、２１に実装されるスイッチ付き同軸コネクタ１０であって、シェル６の一対の接続部６３、６３をハウジング７のほぼ中心を通る垂直面７４に対して左右対称な位置に配置し、ノーマルクローズ端子３の接続部３３とコモン端子４の接続部４３を垂直面７４に対して左右対称な位置に配置し、接続部６３、６３、３３、４３のそれぞれの上面と下面を、接続部６３、６３、３３、４３のほぼ中心を通る水平面７５に対して上下対称な形状に形成する。【選択図】　図１
2004071411.tif 000002
【特許請求の範囲】
【請求項１】
相手方コネクタ（９）の挿抜で接触部（３１）（４４）が離接するノーマルクローズ端子（３）、コモン端子（４）と、このノーマルクローズ端子（３）、コモン端子（４）を保持するインシュレータ（５）と、このインシュレータ（５）を外側から保持するシェル（６）とを具備し、ノーマルクローズ端子（３）の接続部（３３）、コモン端子（４）の接続部（４３）、シェル（６）の一対の接続部（６３）、（６３）をそれぞれ水平方向に突出させ、プリント配線基板（１，２）の端縁近辺の表面に形成されたそれぞれに対応するランド（１３，２３）、（１４，２４）、（１５，２５）、（１５，２５）上に載置し、半田付け等でプリント配線基板（１，２）の端縁に実装されるスイッチ付き同軸コネクタであって、シェル（６）の一対の接続部（６３）、（６３）をシェル（６）のほぼ中心を通る垂直面（６５）に対して左右対称な位置に配置し、ノーマルクローズ端子（３）の接続部（３３）とコモン端子（４）の接続部（４３）を垂直面（６５）に対して左右対称な位置に配置し、接続部（６３）、（６３）、（３３）、（４３）のそれぞれの上面と下面を、接続部（６３）、（６３）、（３３）、（４３）のほぼ中心を通る水平面（６６）に対して上下対称な形状に形成したことを特徴とするスイッチ付き同軸コネクタ。
【請求項２】
水平面（６６）をシェル（６）のほぼ中心を通る水平面としたことを特徴とする請求項１記載のスイッチ付き同軸コネクタ。
【請求項３】
シェル（６）は、プリント配線基板（１，２）の端縁に切欠き形成された形状の異なる２種類の切欠部（１１）、（２１）に係合可能な本体部（６２）を具備し、本体部（６２）は水平面（６６）で上下に区分された上側本体部（６２ａ）と下側本体部（６２ｂ）を具備し、上側本体部（６２ａ）と下側本体部（６２ｂ）は、一方が２種類の切欠部（１１）、（２１）の一方にのみ係合可能な形状に形成され、他方が２種類の切欠部（１１）、（２１）の他方にのみ係合可能な形状に形成されていることを特徴とする請求項１又は２記載のスイッチ付き同軸コネクタ。
【請求項４】
２種類の切欠部（１１）、（２１）のうちの一方は、開口幅が開口側から奥側まで一定値Ｖに形成され、他方は開口幅が開口側Ｖ１（Ｖ１＞Ｖ）、奥側Ｖ２（Ｖ２＜Ｖ）の２段に形成され、下側本体部（６２ｂ）はその横幅がＶより若干小さな一定置Ｗに形成され、上側本体部（６２ａ）は、その横幅が係合先端側Ｗ２（Ｗ２はＶ２より若干小さな値）、係合基端側Ｗ１（Ｗ１はＶ１より若干小さな値）の２段に形成されていることを特徴とする請求項３記載のスイッチ付き同軸コネクタ。
【請求項５】
相手方コネクタ（９）の挿抜で接触部（３１）、（４４）が離接するノーマルクローズ端子（３）、コモン端子（４）と、このノーマルクローズ端子（３）、コモン端子（４）を保持するインシュレータ（５）と、このインシュレータ（５）を外側から保持するシェル（６）と、このシェル（６）を外部から保持するハウジング（７）とを具備し、ノーマルクローズ端子（３）の接続部（３３）、コモン端子（４）の接続部（４３）、シェル（６）の一対の接続部（６３）、（６３）をそれぞれ水平方向に突出させ、プリント配線基板（１，２）の端縁近辺の表面に形成されたそれぞれに対応するランド（１３，２３）、（１４，２４）、（１５，２５）、（１５，２５）上に載置し、半田付け等でプリント配線基板（１，２）の端縁に実装されるスイッチ付き同軸コネクタであって、シェル（６）一対の接続部（６３）、（６３）をハウジング（７）のほぼ中心を通る垂直面（７４）に対して左右対称な位置に配置し、ノーマルクローズ端子（３）の接続部（３３）とコモン端子（４）の接続部（４３）を垂直面（７４）に対して左右対称な位置に配置し、接続部（６３）、（６３）、（３３）、（４３）のそれぞれの上面と下面を、接続部（６３）、（６３）、（３３）、（４３）のほぼ中心を通る水平面（７５）に対して上下対称な形状に形成したことを特徴とするスイッチ付き同軸コネクタ。
【請求項６】
水平面（７５）をハウジング（７）のほぼ中心を通る水平面としたことを特徴とする請求項５記載のスイッチ付き同軸コネクタ。
【請求項７】
ハウジング（７）は、プリント配線基板（１，２）の端縁に切欠き形成された形状の異なる２種類の切欠部（１１）、（２１）に係合可能な本体部（７２）を具備し、本体部（７２）は水平面（７５）で上下に区分された上側本体部（７２ａ）と下側本体部（７２ｂ）を具備し、上側本体部（７２ａ）と下側本体部（７２ｂ）は、一方が２種類の切欠部（１１）、（２１）の一方にのみ係合可能な形状に形成され、他方が２種類の切欠部（１１）、（２１）の他方にのみ係合可能な形状に形成されていることを特徴とする請求項５又は６記載のスイッチ付き同軸コネクタ。
【請求項８】
２種類の切欠部（１１）、（２１）のうちの一方は、その開口幅が開口側から奥側まで一定値Ｖに形成され、他方はその開口幅が開口側Ｖ１（Ｖ１＞Ｖ）、奥側Ｖ２（Ｖ２＜Ｖ）の２段に形成され、下側本体部（７２ｂ）はその横幅がＶより若干小さな一定値Ｗに形成され、上側本体部（７２ａ）は、その横幅が係合先端側Ｗ２（Ｗ２はＶ２より若干小さな値）、係合基端側Ｗ１（Ｗ１はＶ１より若干小さな値）の２段に形成されていることを特徴とする請求項７記載のスイッチ付き同軸コネクタ。
【請求項９】
ハウジング（７）に、相手方コネクタ（９）に形成されたキー突起と嵌合可能なキー溝（８２，８３ａ〜８３ｅ）を形成したことを特徴とする請求項５，６，７又は８記載のスイッチ付き同軸コネクタ。
【発明の詳細な説明】
【０００１】
【発明の属する技術分野】
本発明は、相手方コネクタ（例えばプラグ型同軸コネクタ）の挿抜で接触部が離接するノーマルクローズ端子、コモン端子を中心導体として具備し、シェルを外部導体として具備し、ノーマルクローズ端子、コモン端子及びシェルの接続部をプリント配線基板上の対応するランドに半田付けすることによってプリント配線基板に実装されるスイッチ付き同軸コネクタ（例えばスイッチ付レセプタクル型同軸コネクタ）に関するのものである。
【０００２】
【従来の技術】
従来、この種のスイッチ付き同軸コネクタはライトアングルタイプに形成され、ノーマルクローズ端子、コモン端子及びシェルの接続部はそれぞれ上下非対称な形状に形成されていた。このため、プリント配線基板上のコモン端子に接続される回路（又は素子）とノーマルクローズ端子に接続される回路（又は素子）の配置が逆のプリント配線基板に対しては、コモン端子の接続部とノーマルクローズ端子の接続部の配列が逆のスイッチ付き同軸コネクタを別に用意していた。
【０００３】
例えば、プリント配線基板１００上の内部ＡＮＴ（アンテナ）１０１とＲＦ（高周波）回路１０２の配置が図２１及び図２３に示すような場合に実装されるスイッチ付き同軸コネクタを３００とし、図２２及び図２４に示すように、プリント配線基板２００上の内部ＡＮＴ２０１とＲＦ回路２０２の配置が逆の場合に実装されるスイッチ付き同軸コネクタを４００とすると、スイッチ付き同軸コネクタ３００のノーマルクローズ端子の接続部３０１とコモン端子の接続部３０２の配列と、スイッチ付き同軸コネクタ４００のノーマルクローズ端子の接続部４０１とコモン端子の接続部４０２の配列とは、図２３と図２４に示すように逆になっていた。
【０００４】
図２１及び図２３に示す場合には、スイッチ付き同軸コネクタ３００のノーマルクローズ端子の接続部３０１、コモン端子の接続部３０２がそれぞれプリント配線基板１００上に形成された信号用のランド１０３、１０４上に載置され、スイッチ付き同軸コネクタ３００のシェルの接続部３０３，３０３がプリント配線基板１００上に形成された接地用のランド１０５，１０５上に載置され、それぞれ半田（図示省略）で接続される。ランド１０３、１０４はそれぞれ配線パターン１０６、１０７を介して内部ＡＮＴ１０１、ＲＦ回路１０２に接続されている。
そして、図２１に示すように相手方コネクタ５００の未挿入時には、スイッチ付き同軸コネクタ３００のコモン端子の接触部とノーマルクローズ端子の接触部が弾性接触して内部ＡＮＴ１０１をＲＦ回路１０２に電気的に接続する。
相手方コネクタ５００の挿入時には、相手方のノーマルオープン端子（例えば中心ピン）５０１の接触部でスイッチ付き同軸コネクタ３００のコモン端子とノーマルクローズ端子の接触部間の接触を解放し、ノーマルオープン端子５０１の接触部とスイッチ付き同軸コネクタ３００のコモン端子の接触部を弾性接触させ、同軸ケーブル６００の端部に接続された外部ＡＮＴ（図示省略）をＲＦ回路１０２に電気的に接続する。
すなわち、ＲＦ回路１０２に接続されるＡＮＴを内部ＡＮＴ１０１から外部ＡＮＴへ切り換える。この挿入時には、相手方コネクタ５００のシェル（接地端子）５０２の接触部は、スイッチ付き同軸コネクタ３００のシェルの接触部に弾性接触し、電気的に接続する。
【０００５】
図２２及び図２４に示す場合には、スイッチ付き同軸コネクタ４００のコモン端子の接続部４０２、ノーマルクローズ端子の接続部４０１がプリント配線基板２００の信号用のランド２０４、２０３上に載置され、スイッチ付き同軸コネクタ４００のシェルの接続部４０３，４０３がプリント配線基板２００の接地用のランド２０５、２０５上に載置され、それぞれ半田接続される。ランド２０４、２０３は、それぞれ配線パターン２０７、２０６を介してＲＦ回路２０２、内部ＡＮＴ２０１に接続される。
そして、図２２に示すように相手方コネクタ５００の未挿入時には、図２１の場合と同様にして内部ＡＮＴ２０１をＲＦ回路２０２に電気的に接続し、挿入時には、図２１の場合と同様にして、ＲＦ回路２０２に電気的に接続されるＡＮＴを内部ＡＮＴ２０１から外部ＡＮＴへ切り換える。
【０００６】
【発明が解決しようとする課題】
しかしながら、図２１〜図２４に示した従来例では、スイッチ付き同軸コネクタ３００、４００がライトアングルタイプに形成され、端子の接続部３０１，３０２、４０１，４０２とシェルの接続部３０３，３０３、４０３，４０３が上下非対称な形状に形成されていたので、図２３（ｃ）に示すように内部ＡＮＴ１０１とＲＦ回路１０２が配置されたプリント配線基板１００については、一方のスイッチ付き同軸コネクタ３００しか実装することができず、図２４（ｃ）に示すように内部ＡＮＴ２０１とＲＦ回路２０２が配置されたプリント配線基板２００については、他方のスイッチ付き同軸コネクタ４００しか実装することができない。
このようにプリント配線基板上に配置される内部ＡＮＴとＲＦ回路の配列が逆の場合に、それぞれに適合する個別のスイッチ付き同軸コネクタを用意しなければならないので、スイッチ付き同軸コネクタの共通化を図ることができず、製造設備が増大し、コストアップになるという問題点があった。
【０００７】
本発明は、上述の問題点に鑑みなされたもので、プリント配線基板上に配置される内部ＡＮＴとＲＦ回路の配列が逆となるような場合でも、共通して利用することができ、製造設備の増大を抑え、コストダウンを図ることができるスイッチ付き同軸コネクタを提供することを目的とするものである。
【０００８】
【課題を解決するための手段】
請求項１記載の発明は、相手方コネクタ（９）の挿抜で接触部（３１）、（４４）が離接するノーマルクローズ端子（３）、コモン端子（４）と、このノーマルクローズ端子（３）、コモン端子（４）を保持するインシュレータ（５）と、このインシュレータ（５）を外側から保持するシェル（６）とを具備し、ノーマルクローズ端子（３）の接続部（３３）、コモン端子（４）の接続部（４３）、シェル（６）の一対の接続部（６３）、（６３）をそれぞれ水平方向に突出させ、プリント配線基板（１，２）の端縁近辺の表面に形成されたそれぞれに対応するランド（１３，２３）、（１４，２４）、（１５，２５）、（１５，２５）上に載置し、半田付け等でプリント配線基板（１，２）の端縁に実装されるスイッチ付き同軸コネクタであって、シェル（６）の一対の接続部（６３）、（６３）をシェル（６）のほぼ中心を通る垂直面（６５）に対して左右対称な位置に配置し、ノーマルクローズ端子（３）の接続部（３３）とコモン端子（４）の接続部（４３）を垂直面（６５）に対して左右対称な位置に配置し、接続部（６３）、（６３）、（３３）、（４３）のそれぞれの上面と下面を、接続部（６３）、（６３）、（３３）、（４３）のほぼ中心を通る水平面（６６）に対して上下対称な形状に形成したこと特徴とするものである。
【０００９】
上述の構成において、シェル（６）の一対の接続部（６３）、（６３）をシェル（６）のほぼ中心を通る垂直面（６５）に対して左右対称な位置に配置し、ノーマルクローズ端子（３）の接続部（３３）とコモン端子（４）の接続部（４３）を垂直面（６５）に対して左右対称な位置に配置し、接続部（６３）、（６３）、（３３）、（４３）のそれぞれの上面と下面を、接続部（６３）、（６３）、（３３）、（４３）のほぼ中心を通る水平面（６６）に対して上下対称な形状に形成しているので、プリント配線基板（１，２）の端縁近辺の表面に形成されるランド（１３，２３）、（１４，２４）、（１５，２５）、（１５，２５）の配列が逆の場合に、スイッチ付き同軸コネクタ（１０）を反転するリバース実装でプリント配線基板（１，２）の端縁に実装することができる。
すなわち、プリント配線基板（１，２）上に配置される２つの回路や素子（一方が素子又は双方が素子の場合を含む。）の配列が逆の場合、例えば内部ＡＮＴとＲＦ回路の配置が逆に配列されている場合にも、同一のスイッチ付き同軸コネクタ（１０）のリバース実装で対応することができ、スイッチ付き同軸コネクタ（１０）の共通化を図ることができる。
【００１０】
請求項２記載の発明は、請求項１記載の発明において、実装時におけるスイッチ付き同軸コネクタ（１０）のプリント配線基板（１，２）の表面と裏面からの高さをほぼ同一とするために、水平面（６６）をシェル（６）のほぼ中心を通る水平面としたことを特徴とするものである。
【００１１】
請求項３記載の発明は、請求項１又は２記載の発明において、実装時におけるプリント配線基板（１，２）の端縁から突出長さを抑えるとともに、誤実装を防止するために、シェル（６）が、プリント配線基板（１，２）の端縁に切欠き形成された形状の異なる２種類の切欠部（１１）、（２１）に係合可能な本体部（６２）を具備し、本体部（６２）は水平面（６６）で上下に区分された上側本体部（６２ａ）と下側本体部（６２ｂ）を具備し、上側本体部（６２ａ）と下側本体部（６２ｂ）は、一方が２種類の切欠部（１１）、（２１）の一方にのみ係合可能な形状に形成され、他方が２種類の切欠部（１１）、（２１）の他方にのみ係合可能な形状に形成されていることを特徴とするものである。
【００１２】
請求項４記載の発明は、請求項３に記載の発明において、シェル（６）の外形形状と切欠部（１１）、（２１）の形状を簡単な形状とするために、２種類の切欠部（１１）、（２１）のうちの一方は、開口幅が開口側から奥側まで一定値Ｖに形成され、他方は開口幅が開口側Ｖ１（Ｖ１＞Ｖ）、奥側Ｖ２（Ｖ２＜Ｖ）の２段に形成され、下側本体部（６２ｂ）はその横幅がＶより若干小さな一定置Ｗに形成され、上側本体部（６２ａ）は、その横幅が係合先端側Ｗ２（Ｗ２はＶ２より若干小さな値）、係合基端側Ｗ１（Ｗ１はＶ１より若干小さな値）の２段に形成されていることを特徴とするものである。
【００１３】
請求項５記載の発明は、相手方コネクタ（９）の挿抜で接触部（３１）、（４４）が離接するノーマルクローズ端子（３）、コモン端子（４）と、このノーマルクローズ端子（３）、コモン端子（４）を保持するインシュレータ（５）と、このインシュレータ（５）を外側から保持するシェル（６）と、このシェル（６）を外側から保持するハウジング（７）とを具備し、ノーマルクローズ端子（３）の接続部（３３）、コモン端子（４）の接続部（４３）、シェル（６）の一対の接続部（６３）、（６３）をそれぞれ水平方向に突出させ、プリント配線基板（１，２）の端縁近辺の表面に形成されたそれぞれに対応するランド（１３，２３）、（１４，２４）、（１５，２５）、（１５，２５）上に載置し、半田付け等でプリント配線基板（１，２）の端縁に実装されるスイッチ付き同軸コネクタであって、シェル（６）の一対の接続部（６３）、（６３）をハウジング（７）のほぼ中心を通る垂直面（７４）に対して左右対称な位置に配置し、ノーマルクローズ端子（３）の接続部（３３）とコモン端子（４）の接続部（４３）を垂直面（７４）に対して左右対称な位置に配置し、接続部（６３）、（６３）、（３３）、（４３）のそれぞれの上面と下面を、接続部（６３）、（６３）、（３３）、（４３）のほぼ中心を通る水平面（７５）に対して上下対称な形状に形成したことを特徴とするものである。
【００１４】
上述の構成において、シェル（６）の一対の接続部（６３）、（６３）をハウジング（７）のほぼ中心を通る垂直面（７４）に対して左右対称な位置に配置し、ノーマルクローズ端子（３）の接続部（３３）とコモン端子（４）の接続部（４３）を垂直面（７４）に対して左右対称な位置に配置し、接続部（６３）、（６３）、（３３）、（４３）のそれぞれの上面と下面を、接続部（６３）、（６３）、（３３）、（４３）のほぼ中心を通る水平面（７５）に対して上下対称な形状に形成しているので、請求項１記載の発明と同様に、プリント配線基板（１，２）の端縁近辺の表面に形成されるランド（１３，２３）、（１４，２４）、（１５，２５）、（１５，２５）の配列が逆の場合に、スイッチ付き同軸コネクタ（１０）を反転するリバース実装でプリント配線基板（１，２）の端縁に実装することができる。
【００１５】
請求項６記載の発明は、請求項５記載の発明において、実装時におけるスイッチ付き同軸コネクタのプリント配線基板（１，２）の表面と裏面から高さをほぼ同一とするために、水平面（７５）をハウジング（７）のほぼ中心を通る水平面としたことを特徴とするものである。
【００１６】
請求項７記載の発明は、請求項５又は６記載の発明において、実装時におけるプリント配線基板（１，２）の端縁からの突出長さを抑えるとともに、誤実装を防止するために、ハウジング（７）は、プリント配線基板（１，２）の端縁に切欠き形成された形状の異なる２種類の切欠部（１１）、（２１）に係合可能な本体部（７２）を具備し、本体部（７２）は水平面（７５）で上下に区分された上側本体部（７２ａ）と下側本体部（７２ｂ）を具備し、上側本体部（７２ａ）と下側本体部（７２ｂ）は、一方が２種類の切欠部（１１）、（２１）の一方にのみ係合可能な形状に形成され、他方が２種類の切欠部（１１）、（２１）の他方にのみ係合可能な形状に形成されていることを特徴とするものである。
【００１７】
請求項８記載の発明は、請求項７記載の発明において、ハウジング（７）の形状と切欠部（１１）、（２１）及びハウジング（７）の形状とを簡単な形状とするために、２種類の切欠部（１１）、（２１）のうちの一方は、その開口幅が開口側から奥側まで一定値Ｖに形成され、他方はその開口幅が開口側Ｖ１（Ｖ１＞Ｖ）、奥側Ｖ２（Ｖ２＜Ｖ）の２段に形成され、下側本体部（７２ｂ）はその横幅がＶより若干小さな一定値Ｗに形成され、上側本体部（７２ａ）は、その横幅が係合先端側Ｗ２（Ｗ２はＶ２より若干小さな値）、係合基端側Ｗ１（Ｗ１はＶ１より若干小さな値）の２段に形成されていることを特徴とするものである。
【００１８】
請求項９記載の発明は、請求項５，６，７又は８記載の発明において、相手方コネクタ（９）との誤嵌合を防止するために、ハウジング（７）に相手方コネクタ（９）に形成されたキー突起と嵌合可能なキー溝（８２，８３ａ〜８３ｅ）を形成したことを特徴とするものである。
【００１９】
【発明の実施の形態】
以下、本発明の一実施形態例を図１〜図２０を用いて説明する。
図１は、１部の図示を簡略化して表示した、スイッチ付き同軸コネクタの通常実装時とリバース実装時を示す斜視図、図２はスイッチ付き同軸コネクタの平面図、正面図及び底面図、図３は図２（ｂ）の拡大左側面図、図４は図２の（ｂ）の拡大右側面図、図５は図２（ｂ）のＡ−Ａ線拡大断面図、図６は、丸印内に表示した端子の大きさを２倍にして表示した、スイッチ付き同軸コネクタの分解斜視図である。
【００２０】
図１〜図６において、１、２はプリント配線基板、１０はスイッチ付レセプタクル型同軸コネクタ（以下単にスイッチ付き同軸コネクタという。）である。
【００２１】
プリント配線基板１の端縁には、図１（ａ）に示すように、開口幅（水平方向の長さ）が開口側から奥側まで一定値Ｖのほぼ矩形状の切欠部１１が形成され、この切欠部１１の端縁近辺の表面には、信号用のランド１３、１４と接地用のランド１５，１５が形成されている。
信号用のランド１３、１４は、切欠部１１の奥側近くの表面であって、切欠部１１を左右に２分する垂直面１８に対して左右対称な位置に配置され、その表面形状は垂直面１８に対して左右対称な形状（矩形状）に形成されている。この信号用のランド１３、１４は、図２３（ｃ）と同様に、一方のランド１３が配線パターン１６を介して内部ＡＮＴ（図示省略）に接続され、他方のランド１４が配線パターン１７を介してＲＦ回路（図示省略）に接続されている。
接地用のランド１５，１５は、切欠部１１の両側から奥側にかけた端縁近辺の表面であって、垂直面１８に対して左右対称な位置に配置され、その表面形状は、垂直面１８に対して左右対称な形状（Ｌ字形状と逆Ｌ字形状）に形成されている。
【００２２】
プリント配線基板２の端縁には、図１（ｂ）に示すように、開口幅が開口側Ｖ１（Ｖ１＞Ｖ）、奥側Ｖ２（Ｖ２＜Ｖ）の２段となるほぼ凸形状の切欠部２１が形成され、この切欠部２１の端縁近辺の表面には、信号用のランド２３、２４と接地用のランド２５、２５が形成されている。
信号用のランド２３、２４は、図１（ａ）のランド１３、１４と同様に、切欠部２１を左右に２分する垂直面２８に対して左右対称な位置に配置され、その表面形状は垂直面２８に対して左右対称な形状（矩形状）に形成されている。この信号用のランド２３、２４は、図２４（ｃ）と同様に、一方のランド２３が配線パターン２６を介して内部ＡＮＴ（図示省略）に接続され、他方のランド２４が配線パターン２７を介してＲＦ回路（図示省略）に接続されている。
接地用のランド２５、２５は、切欠部２１の両側から奥側にかけた端縁近辺の表面であって、垂直面２８に対して左右対称な位置に配置され、その表面形状は、垂直面２８に対して左右対称な形状（ほぼＬ字形状とほぼ逆Ｌ字形状）に形成されている。
すなわち、図１（ｂ）においてランド２３、２４に接続される内部ＡＮＴ、ＲＦ回路のプリント配線基板２上の配置は、図１（ａ）においてランド１３，１４に接続される内部ＡＮＴ、ＲＦ回路のプリント配線基板１上の配置と逆の配列になっている。
【００２３】
スイッチ付き同軸コネクタ１０は、図２〜図６に示すように、中心導体としてのノーマルクローズ端子３及びコモン端子４と、このノーマルクローズ端子３及びコモン端子４を保持するインシュレータ５と、このインシュレータ５を外側から保持する外部導体としてのシェル６と、このシェル６の外側を保持するハウジング７とで構成されている。
図６の分解斜視図では、図示の便宜上、丸印内に図示したノーマルクローズ端子３及びコモン端子４を、インシュレータ５、シェル６、及びハウジング７に対して２倍の大きさに図示している。
【００２４】
ノーマルクローズ端子３は、銅合金製金属板の打ち抜き加工と金メッキ処理で形成され、図６に示すように、先端側（図の手前側）から基端側へ向けて一体に連設された接触部３１、係止部３２及び接続部３３を具備し、係止部３２及び接続部３３には補強用のビード（ひも状の突起）３４，３５，３６が形成されている。接続部３３の上面と下面は、接続部３３の中心を通る水平面に対して上下対称な形状に形成されている。
【００２５】
コモン端子４は、銅合金製金属板の打ち抜き及び折り曲げ加工と金メッキ処理で形成され、図６に示すように、先端側から基端側へ向けて一体に連設された第１接触部４１、係止部４２及び接続部４３と、第１接触部４１の先端部近くの端縁からほぼ直角に折り曲げて連設された第２接触部４４とを具備し、第１接触部４１、係止部４２及び接続部４３には補強用のビード４５，４６，４７，４８が形成されている。
接続部４３は補強用のビード４８の突起方向が補強用ビード３６と逆になっている点を除いて、接続部３３と同一形状に形成されている。
【００２６】
インシュレータ５は、熱可塑性樹脂で成型され、その外形形状は、ほぼ中心を通る垂直面５７，水平面５８に対してほぼ左右対称、上下対称に形成されている。
インシュレータ５は、図７及び図８に示すように、先端側（図６では手前側）から基端側へ向けて一体に連設された、外形がほぼ円柱状の嵌合部５１と、外径がほぼ角柱状の保持部５２とを具備している。
嵌合部５１及び保持部５２には、相手方コネクタ９（後述する）の中心ピン９１を挿入するためのピン挿入孔５３が穿設されている。
嵌合部５１及び保持部５２には、ノーマルクローズ端子３、コモン端子４を圧入して取り付けるための端子収容溝５４、５５が形成され、この端子収容溝５４、５５は、基端側（図６では奥側）を挿入口とし、一方の端子収容溝５４は、基端側からみて右側にあって、前後方向に沿って形成されるとともに、一部がピン挿入孔５３に連通して形成され、他方の端子収容溝５５は、基端側からみて左側にあって、前後方向に沿って形成されるとともに、ピン挿入孔５３に連通して形成されている。
保持部５２の外壁面には、シェル６に圧入して取り付けるための係止突起５６〜５６が形成されている。
【００２７】
シェル６は、アルミニウムや亜鉛合金のダイカストで形成されたものに金メッキ処理をして形成され、図９及び図１０に示すように、嵌合側（図６では手前側）から基端側へ向けて一体に連設された、ほぼ円筒状の接触部６１とほぼ角筒状の本体部６２とを具備するとともに、この本体部６２の両側壁から水平方向につばさ状に突設された一対の接続部６３、６３を具備している。
接触部６１及び本体部６２には、インシュレータ５を収容するためのインシュレータ嵌合孔６４が貫通形成されている。
一対の接続部６３、６３はシェル６の中心を通る垂直面６５に対して左右対称な位置に配置されるとともに、一対の接続部６３、６３の上面と下面は、シェル６の中心を通る水平面６６に対して上下対称な形状に形成されている。
接触部６１の外周壁には、相手方コネクタ９のシェル９３の係合突起９５を係合するための係合溝６７が円周方向に沿って形成されている。
本体部６２は、水平面６６で上下に２分された上側本体部６２ａと下側本体部６２ｂを具備し、上側本体部６２ａの横幅（水平方向の幅、以下同様。）は下側本体部６２ｂの横幅よりも小さく形成されている。
上側本体部６２ａの上壁面、下側本体部６２ｂの下壁面のそれぞれには、係合突起６８が形成されている。
【００２８】
ハウジング７は、熱可塑性樹脂で成型され、図１１〜図１５に示すように、先端側（嵌合側、図６では手前側）から基端側へ向けて一体に連設された先端部７１と本体部７２を具備している。
先端部７１及び本体部７２には、シェル６の本体部６２を収容保持するとともに、先端側にシェル６の接触部６１との間で相手方コネクタ９のシェル９２を収容するためのシェル収容孔７３が形成されている。
先端部７１は、ハウジング７のほぼ中心を通る垂直面７４及び水平面７５に対してほぼ対称な形状に形成され、断面外側輪郭を一辺がＷ（Ｖより若干小さな値）の正方形とし、断面内側輪郭を円形とした筒状に形成されている。
本体部７２は、垂直面７４に対して左右対称な形状に形成され、水平面７５で上下に２分された上側本体部７２ａと下側本体部７２ｂを具備している。
上側本体部７２ａは、先端側の第１上側本体部７６ａと基端側の第２上側本体部７７ａとからなっている。下側本体部７２ｂは先端側の第１下側本体部７６ｂと基端側の第２下側本体部７７ｂとからなり、第２上側本体部７７ａと第２下側本体部７７ｂは、スリット７８，７８で上下に２分されている。このスリット７８，７８は、シェル６の接続部６３、６３を嵌合して接続部６３、６３を外側へ突出させるためのものである。
【００２９】
第１上側本体部７６ａの両側壁には、切欠部２１の開口側への係合を可能とし、かつ切欠部１１への係合を不能にするために、横幅をＶ１より若干小さなＷ１とするための突出部７９，７９が形成されている。
第２上側本体部７７ａは、切欠部２１の奥側への係合を可能とするために、その横幅がＶ２より若干小さなＷ２に形成されている。
第１下側本体部７６ｂ及び第２下側本体部７７ｂは、切欠部１１への係合を可能とし、かつ切欠部２１の奥側への係合を不能とするために、横幅が先端部７１と同じＷに形成されている。
第２上側本体部７７ａの上側内壁面の基端側には、シェル６の上側本体部６２ａの係合突起６８に係止する係合溝８０が形成され、第２下側本体部７７ｂの下側内壁面の基端側には、シェル６の下側本体部６２ｂの係合突起６８に係止する係合溝８０が形成されている。
第２上側本体部７７ａと第２下側本体部７７ｂの両側内壁面の先端側のそれぞれには、シェル６の圧入時に上側本体部６２ａと下側本体部６２ｂの対応する両側外壁面に係止する係止突起８１，８１が突設されている。
【００３０】
ハウジング７の先端部７１、第１上側本体部７６ａ及び第１下側本体部７６ｂの内壁面には、先端側（嵌合側）を挿入側とする６つのキー溝８２，８３ａ〜８３ｅが形成され、これらのキー溝８２，８３ａ〜８３ｅは、相手方コネクタ９のハウジングに突設されたキー突起９７、９８ａ〜９８ｅ（後述する）に対応して設けられたもので、不適切な相手方コネクタとの誤嵌合（例えば他社製品との誤嵌合）を防止するためのものである。
図３，図５，図６，図１２，図１４及び図１５では、説明の便宜上図１６（ａ）に示すように、６個のキー溝８２，８３ａ〜８３ｅ全てが形成されている場合について説明したが、実際には、図１６の（ｂ）〜（ｋ）に示すような１つのキー溝８２と、５つのキー溝８３ａ〜８３ｅのうちの２つのキー溝との組み合わせによって、図１６の（ｂ）〜（ｋ）に示すような１０通りのタイプの中から任意に選択され、相手方コネクタ９のキー突起も対応する１０通りのタイプの中から対応するものが選択される。
【００３１】
つぎに、図６を併用してスイッチ付き同軸コネクタ１０の組み立て方法について説明する。
まず、シェル６のインシュレータ嵌合孔６４に基端側（図６では奥側）からインシュレータ５を圧入する。このとき、インシュレータ５の係止突起５６〜５６がインシュレータ嵌合孔６４の内壁に係止してシェル６に保持される。また、シェル６の垂直面６５、水平面６６のそれぞれが、インシュレータ５の垂直面５７、水平面５８と一致するように組み立てる。
ついで、インシュレータ５の端子収容溝５４、５５に基端側からノーマルクローズ端子３、コモン端子４を圧入する。このとき、ノーマルクローズ端子３、コモン端子４はその接触部３１、係止部４２の係止突起が端子収容溝５４、５５の内壁に係止してインシュレータ５に保持される。また、接続部３３、接続部４３の中心を通る水平面はインシュレータ５の水平面５８に一致させている。
ついで、シェル６の先端側からハウジング７を被せるようにして圧入し、シェル収容孔７３内にシェル６を収容する。このとき、シェル６の接続部６３、６３がハウジング７のスリット７８、７８を介して水平方向に突出する。また、シェル６の本体部６２に形成された係合突起６８、６８がハウジング７の係合溝８０、８０に係合するとともに、下側本体部７２ｂの内壁面から突出した係止突起８１〜８１がシェル６の本体部６２の外壁に係止してシェル６がハウジング７に保持される。また、ハウジング７の垂直面７４、水平面７５のそれぞれがシェル６の垂直面６５，水平面６６と一致するように組み立てる。
【００３２】
つぎに、図１７，図１８を併用してスイッチ付き同軸コネクタ１０のプリント配線基板１、２への実装方法ついて説明する。
【００３３】
まず、図１７を併用して、スイッチ付き同軸コネクタ１０をプリント配線基板１の切欠部１１へ実装する通常実装について説明する。
（１）図１７の（ａ）〜（ｄ）に示すように、プリント配線基板１の切欠部１１に係合するスイッチ付き同軸コネクタ１０の本体部７２の下側本体部７２ｂ（７６ｂ，７７ｂ）の横幅Ｗが、切欠部１１の開口幅Ｖより若干小さく形成されているので、同図の（ｅ）、（ｆ）に示すようにスイッチ付き同軸コネクタ１０をプリント配線基板１の切欠部１１に係合することができる。
【００３４】
（２）ついで、ノーマルクローズ端子３、コモン端子４の接続部３３、接続部４３を信号用のランド１３、１４に半田付け等で接続するとともに、シェル６の接続部６３、６３を接地用のランド１５、１５に半田付け等で接続し、実装することができる。このため、ノーマルクローズ端子３、コモン端子４の接続部３３、接続部４３のそれぞれを、プリント配線基板１上の内部ＡＮＴ，ＲＦ回路に接続することができる。
【００３５】
（３）スイッチ付き同軸コネクタ１０を反転してプリント配線基板１の切欠部１１に誤って実装することは防止される。すなわち、図１７の（ａ）、（ｂ）を逆にしてプリント配線基板１の切欠部１１へ係合しようとすると、スイッチ付き同軸コネクタ１０の上側本体部７２ａ（７６ａ、７７ａ）が切欠部１１に係合することになり、上側本体部７６ａの横幅Ｗ１が切欠部１１の開口幅Ｖより大きくなるので、切欠部１１に係合するのを不能として誤実装が防止される。
【００３６】
ついで、図１８を併用してスイッチ付き同軸コネクタ１０をプリント配線基板２の切欠部２１へ実装するリバース実装について説明する。
（１）図１８の（ａ）〜（ｄ）に示すように、プリント配線基板２の切欠部２１に係合するスイッチ付き同軸コネクタ１０の本体部７２の上側本体部７６ａ、７７ａのそれぞれの横幅Ｗ１，Ｗ２が、切欠部２１の開口幅Ｖ１，Ｖ２より若干小さく形成されているので、同図の（ｅ）、（ｆ）に示すようにスイッチ付き同軸コネクタ１０をプリント配線基板２の切欠部２１に係合することができる。
【００３７】
（２）ついで、ノーマルクローズ端子３、コモン端子４の接続部３３、接続部４３を信号用のランド２３，２４に半田付け等で接続するとともに、シェル６の接続部６３、６３を接地用のランド２５，２５に半田付け等で接続し、実装することができる。このため、内部ＡＮＴ，ＲＦ回路の配置が図１７の場合と反対の場合（図１８に示す場合）について、ノーマルクローズ端子３、コモン端子４の接続部３３、接続部４３のそれぞれを、プリント配線基板２上の内部ＡＮＴ，ＲＦ回路に接続することができる。
【００３８】
（３）スイッチ付き同軸コネクタ１０を反転してプリント配線基板２上の切欠部２１に誤って実装することは防止される。
すなわち、図１８の（ａ）、（ｂ）を逆にしてプリント配線基板２の切欠部２１へ係合しようとすると、本体部７２の下側本体部７６ｂ、７７ｂが切欠部２１に係合することになり、その横幅Ｗが切欠部２１の開口幅Ｖ２より大きくなるので、本体部７２の第２下側本体部７７ｂが切欠部２１に係合するのを不能として誤実装が防止される。
【００３９】
つぎに、図１９、図２０を併用して、相手方コネクタ９との接続について説明する。
図１９及び図２０は相手方コネクタ９を示すもので、この相手方コネクタ９は、中心導体としての中心ピン９１と、この中心ピン９１を保持するインシュレータ９２と、このインシュレータ９２を外側から保持する外部導体としてのシェル９３と、このシェル９３を外側から保持するハウジング９４とを具備し、シェル９３の嵌合側の内壁面には内周方向に沿って１／４円弧状の係合突起９５〜９５が突設されている。
相手方コネクタ９の非嵌合側には同軸ケーブル９６が結合され、この同軸ケーブル９６の中心導体は中心ピン９１に電気的に接続され、同軸ケーブル９６の外部導体（例えば編組導体）はシェル９３に電気的に接続されている。
【００４０】
説明の便宜上、スイッチ付き同軸コネクタ１０のキー溝がキー溝８２及びキー溝８３ａ、８３ｅである（図１６の（ｂ）に相当）とし、これに対応して相手方コネクタ９に形成されるキー突起が図２０に示すように６つのキー突起９７、９８ａ〜９８ｅのうち、１つのキー突起９７と、５つのキー突起９８ａ〜９８ｅのうちの２つのキー突起９８ａ、９８ｅであるとする。
なお、実際には、図１６の（ｂ）〜（ｋ）の１０通りのタイプに対応して、相手方コネクタ９に形成されるキー突起も「９７、９８ａ、９８ｅのタイプ」〜「９７、９８ｃ、９８ｄのタイプ」の１０通りある。
【００４１】
そして、相手方コネクタ９をスイッチ付き同軸コネクタ１０に嵌合すると、中心ピン９１がピン挿入孔５３内に挿入してコモン端子４の第１接触部４１に弾性接触し、第１接触部４１を所定方向（図５では下方向）へ変位させてノーマルクローズ端子３の接触部３１に接触していた第２接触部４４が接触部３１から離れる。すなわち、相手方コネクタ９の中心ピン９１とコモン端子４が電気的に接続し、コモン端子４とノーマルクローズ端子３の電気的な接続が遮断される。
また、相手方コネクタ９のスイッチ付き同軸コネクタ１０への嵌合でシェル９３の接触部がシェル６の接触部６１に弾性接触するとともに、シェル９３の係合突起９５〜９５がシェル６の係合溝６７に係合する。すなわち、相手方コネクタ９のシェル９３とスイッチ付き同軸コネクタ１０のシェル６が電気的に接続する。
このため、スイッチ付き同軸コネクタ１０のコモン端子４がノーマルクローズ端子３との接続から相手方コネクタ９の中心ピン９１との接続に切り換わるとともに、スイッチ付き同軸コネクタ１０のシェル６が相手方コネクタ９のシェル９３に接続する。具体的には、プリント配線基板１、２上のＲＦ回路が内部ＡＮＴから外部ＡＮＴへ切り換わる。
【００４２】
前記実施形態例では、相手方コンタクト９との誤嵌合を防止するために、ハウジング７にキー溝８２，８３ａ〜８３ｅを形成した場合ついて説明したが、本発明はこれに限るものでなくキー溝８２，８３ａ〜８３ｅの形成を省略した場合についても利用することができる。
【００４３】
前記実施形態例では、ハウジング７と切欠部１１、２１の形状を簡単な形状とするために、ハウジング７の本体部７２を上側本体部７２ａと下側本体部７２ｂで形成し、上側本体部７２ａと下側本体部７２ｂをそれぞれ第１上側本体部７６ａ、第２上側本体部７７ａと第１下側本体部７６ｂ、第２下側本体部７７ｂで形成し、第１上側本体部７６ａの横幅をＷ１（Ｗ１＞Ｗ）、第２上側本体部７７ａの横幅をＷ２（Ｗ２＜Ｗ）とし、第１下側本体部７６ｂ及び第２下側本体部７７ｂの横幅をＷとすることによって、本体部７２の下側本体部７２ｂ（７６ｂ及び７７ｂ）が切欠部１１、切欠部２１のうちの一方の切欠部１１のみに係合し、上側本体部７２ａ（７６ａ及び７７ａ）が他方の切欠部２１のみに係合するようにしたが、本発明はこのような形状に限定されるものでなく、本体部７２が水平面７５で上下に区分した上側本体部と下側本体部を具備し、この上側本体部と下側本体部の一方（例えば下側本体部）が形状の異なる２種類の切欠部のうちの一方にのみ係合可能な形状に形成され、他方（例えば上側本体部）が２種類の切欠部のうちの他方にのみ係合可能な形状に形成されているものに利用することができる。
【００４４】
前記実施形態例では、実装時におけるプリント配線基板１、２の端縁から突出長を抑えるとともに、誤実装を防止するために、本体部７２を形状の異なる上側本体部と下側本体部で形成し、その一方が形状の異なる２種類の切欠部の一方にのみ係合し、他方が２種類の切欠部の他方にのみ係合可能な形状に形成されている場合について説明したが本発明はこれに限るものではない。
例えば、上側本体部７２ａと下側本体部７２ｂを同一形状（例えば横幅がＷの矩形状）とした場合や、ハウジング７の上側部と下側部を同一形状とした場合についても利用することができる。この場合、プリント配線基板１、２の切欠部１１、２１を同一形状（例えば矩形状）としてスイッチ付き同軸コネクタ１０を実装することができ、又は、切欠部１１、２１のないプリント配線基板１、２の端縁にスイッチ付き同軸コネクタ１０を実装することができる。このとき、ハウジング７の上面と下面の一方に上下判別用のマークを付けることで、誤実装を防止するようにしてもよい。
【００４５】
前記実施形態例では、実装時におけるスイッチ付き同軸コネクタ１０のプリント配線基板１、２の表面と裏面からの高さをほぼ同一とするために、水平面７５をハウジング７のほぼ中心を通る水平面とした場合ついて説明したが、本発明はこれに限るものでなく、シェル６の接続部６３、６３、ノーマルクローズ端子３の接続部３３、コモン端子４の接続部４３のそれぞれの上面と下面を、上下対称な形状に仕切る水平面７５を、ハウジング７の中心以外のハウジング７内の点を通る水平面とした場合ついても利用することができる。
【００４６】
前記実施形態例では、スイッチ付き同軸コネクタ１０がシェル６の外側を保持するハウジング７を具備し、このハウジング７の外形形状を工夫することによって、実装時におけるプリント配線基板１、２の端縁からの突出長を抑えるとともに、切欠部１１、２１への誤実装を防止する場合について説明したが、本発明はこれに限るものでなく、ハウジング７を具備しないスイッチ付き同軸コネクタについても、シェル６の外形形状を工夫することによって同様の効果を達成することができる。以下、詳細に説明する。
【００４７】
シェル６を水平面６６で上下に区分する上側本体部６２ａと下側本体部６２ｂの外形形状をハウジング７の外形形状と同様に工夫することによって、切欠部１１、２１への誤実装を防止することができる。すなわち、上側本体部６２ａと下側本体部６２ｂの一方（例えば下側本体部６２ｂ）を切欠部１１、２１の一方（例えば切欠部１１）にのみ係合可能な形状に形成し、他方（例えば上側本体部６２ａ）を切欠部１１、２１の他方（例えば切欠部２１）にのみ係合可能な形状に形成することによって、プリント配線基板１、２の端縁からの突出長を抑えるとともに、切欠部１１、２１への誤実装を防止することができる。
この場合、下側本体部６２ｂの横幅をＷとし、上側本体部６２ａの横幅を係合先端側がＷ２、係合基端側Ｗ１の２段に形成すれば、シェル６と切欠部１１、２１の形状を簡単な形状にすることができる。
また、シェル６を上側本体部６２ａと下側本体部６２ｂに区分する水平面６６がシェル６の中心を通る水平面とすることによって、ハウジングを具備した場合と同様に実装時におけるスイッチ付き同軸コネクタのプリント配線基板１、２の表面と裏面からの高さをほぼ同一とすることができる。この場合に、水平面６６をシェル６の中心以外のシェル６内の点を通る水平面とした場合ついても利用することができる。
さらに、シェル６を水平面６６で上下に区分する上側本体部６２ａと下側本体部６２ｂの外形形状を同一形状（例えば横幅がＷの矩形状）とした場合ついても利用することができる。この場合、切欠部１１、２１を同一形状（例えば開口幅がＶの矩形状）として実装することができ、又は、切欠部１１、２１の形成されていないプリント配線基板１、２の端縁にも実装することができる。
【００４８】
【発明の効果】
請求項１記載の発明は、ノーマルクローズ端子（３）、コモン端子（４）、インシュレータ（５）及びシェル（６）を具備し、プリント配線基板（１，２）の端縁に実装されるスイッチ付き同軸コネクタであって、シェル（６）の一対の接続部（６３）、（６３）をシェル（６）のほぼ中心を通る垂直面（６５）に対して左右対称な位置に配置し、ノーマルクローズ端子（３）の接続部（３３）とコモン端子（４）の接続部（４３）を垂直面（６５）に対して左右対称な位置に配置し、接続部（６３）、（６３）、（３３）、（４３）のそれぞれの上面と下面を、接続部（６３）、（６３）、（３３）、（４３）のほぼ中心を通る水平面（６６）に対して上下対称な形状に形成したので、プリント配線基板（１，２）上に配置される２つの回路や素子（例えば内部ＡＮＴとＲＦ回路）の配置が逆の場合にも同一のスイッチ付き同軸コネクタのリバース実装で対応することができ、スイッチ付き同軸コネクタの共通化を図ることができる。このため、製造設備の増大化を抑制し、コストダウンを図ることができる。
【００４９】
請求項２記載の発明は、請求項１記載の発明において、水平面（６６）をシェル（６）のほぼ中心を通る水平面としたので、実装時におけるスイッチ付き同軸コネクタのプリント配線基板（１，２）の表面と裏面からの高さをほぼ同一とすることができる。
【００５０】
請求項３記載の発明は、請求項１又は２記載の発明において、シェル（６）が切欠部（１１）、（２１）に係合可能な本体部（６２）を具備し、本体部（６２）が水平面（６６）で上下に区分される上側本体部（６２ａ）と下側本体部（６２ｂ）を具備し、上側本体部（６２ａ）と下側本体部（６２ｂ）の一方が２種類の切欠部（１１）、（２１）の一方にのみ係合可能な形状に形成され、他方が切欠部（１１）、（２１）の他方にのみ係合を可能な形状に形成されているので、実装時におけるプリント配線基板（１，２）の端縁からの突出長を抑えることができるとともに、誤実装を防止することができる。
【００５１】
請求項４記載の発明は、請求項３記載の発明において、下側本体部（６２ｂ）の横幅を切欠部（１１）の開口幅Ｖより若干小さなＷとし、上側本体部（６２ａ）の横幅を、切欠部（２１）の開口側開口幅Ｖ１より若干小さなＷ１と、奥側開口幅Ｖ２より若干小さなＷ２の２段に形成し、Ｗ１＞Ｗ＞Ｗ２としたので、シェル（６）の外形形状と切欠部（１１）、（２１）の形状を簡単な形状にすることができる。
【００５２】
請求項５記載の発明は、ノーマルクローズ端子（３）、コモン端子（４）、インシュレータ（５）、シェル（６）及びハウジング（７）を具備し、プリント配線基板（１，２）の端縁に実装されるスイッチ付き同軸コネクタであって、シェル（６）の一対の接続部（６３）、（６３）をハウジング（７）のほぼ中心を通る垂直面（７４）に対して左右対称な位置に配置し、ノーマルクローズ端子（３）の接続部（３３）とコモン端子（４）の接続部（４３）を垂直面（７４）に対して左右対称な位置に配置し、接続部（６３）、（６３）、（３３）、（４３）のそれぞれの上面と下面を、接続部（６３）、（６３）、（３３）、（４３）のほぼ中心を通る水平面（７５）に対して上下対称な形状に形成したので、請求項１記載の発明と同様に、プリント配線基板（１，２）上に配置される２つの回路や素子（例えば内部ＡＮＴとＲＦ回路）の配列が逆の場合にも同一のスイッチ付き同軸コネクタ（１０）のリバース実装で対応することができ、スイッチ付き同軸コネクタの共通化を図ることができる。このため、製造設備の増大化を抑制し、コストダウンを図ることができる。
【００５３】
請求項６記載の発明は、請求項５記載の発明において、水平面（７５）をハウジング（７）のほぼ中心を通る水平面としたので、請求項２記載の発明と同様に、実装時におけるスイッチ付き同軸コネクタのプリント配線基板（１，２）の表面と裏面からの高さを同一にすることができる。
【００５４】
請求項７記載の発明は、請求項５又は６記載の発明において、ハウジング（７）が切欠部（１１）、（２１）に係合可能な本体部（７２）を具備し、本体部（７２）が水平面（７５）で上下に区分される上側本体部（７２ａ）と下側本体部（７２ｂ）を具備し、上側本体部（７２ａ）と下側本体部（７２ｂ）は、一方が切欠部（１１）、（２１）の一方にのみ係合可能な形状に形成され、他方が切欠部（１１）、（２１）の他方にのみ係合可能な形状に形成されているので、実装時におけるプリント配線基板（１，２）の端縁からの突出長を抑えることができるとともに、誤実装を防止することができる。
【００５５】
請求項８記載の発明は、請求項７記載の発明において、下側本体部（７２ｂ）の横幅を切欠部（１１）の開口幅Ｖより若干小さなＷとし、上側本体部（７２ａ）の横幅を、切欠部（２１）の開口側横幅Ｖ１より若干小さなＷ１と、奥側開口幅Ｖ２より若干小さなＷ２の２段に形成し、Ｗ１＞Ｗ＞Ｗ２としたので、ハウジング（７）の外形形状と切欠部（１１）、（２１）の形状を簡単な形状にすることができる。
【００５６】
請求項９記載の発明は、請求項５、６，７又８記載の発明において、ハウジング（７）に相手方コネクタ（９）に形成されたキー突起に係合可能なキー溝（８２，８３ａ〜８３ｅ）を形成したので、相手方コネクタ（９）との誤嵌合を防止することができる。
【図面の簡単な説明】
【図１】本発明によるスイッチ付き同軸コネクタの一実施形態例を示もので、１部の図示を簡略化して通常実装時とリバース実装時を示す斜視図である。
【図２】図１中のスイッチ付き同軸コネクタ１０を示すもので、（ａ）は平面図、（ｂ）は正面図、（ｃ）は底面図である。
【図３】図２（ｂ）の拡大左側面図である。
【図４】図２（ｂ）の拡大右側面図である。
【図５】図２（ｂ）のＡ−Ａ線拡大断面図である。
【図６】図１中のスイッチ付き同軸コネクタ１０の分解斜視図で、一部の図示を簡略化し、丸印内の端子３，４の大きさを２倍にして表示した分解斜視図である。
【図７】図６中のインシュレータ５を拡大表示するもので、（ａ）は正面図、（ｂ）は（ａ）の左側面図、（ｃ）は（ａ）の右側面である。
【図８】図７の断面図を示すもので（ａ）は図７（ａ）のＡ−Ａ線断面図、（ｂ）は図７（ｃ）のＢ−Ｂ線断面図、（ｃ）は図７（ｃ）のＣ−Ｃ線断面図である。
【図９】図６中のシェル６を示すもので、（ａ）は平面図、（ｂ）は一部切欠いた正面図、（ｃ）は底面図である。
【図１０】図６中のシェル６を示すもので、（ａ）は図９（ｂ）の左側面図、（ｂ）は図９（ｂ）の右側面図、　（ｃ）は図９（ｂ）のＡ−Ａ線断面図である。
【図１１】図６中のハウジング７を示すもので、（ａ）は平面図、（ｂ）は正面図、（ｃ）は底面図で　ある。
【図１２】図１１（ｂ）の拡大左側面図である。
【図１３】図１１（ｂ）の拡大右側面図である。
【図１４】図１１（ｂ）のＡ−Ａ線拡大断面図である。
【図１５】図１１（ａ）のＢ−Ｂ線拡大断面図である。
【図１６】図６、図１１〜図１５のハウジング７に形成されるキー溝８２，８３ａ〜８３ｅを説明する図である。
【図１７】スイッチ付き同軸コネクタ１０のプリント配線基板１、２への通常実装を説明する図である。
【図１８】スイッチ付き同軸コネクタ１０のプリント配線基板１、２へのリバース実装を説明を説明する図である。
【図１９】一部を切欠いて表示した相手方コネクタ９の正面図である。
【図２０】図１９の拡大右側面図である。
【図２１】従来例を説明する図である。
【図２２】図２１と比較して、内部ＡＮＴとＲＦ回路の配列を逆とした場合の従来例を説明する図である。
【図２３】図２１の従来例の具体例を示す図である。
【図２４】図２２の従来例の具体例を示す図である。
【符号の説明】
１、２…プリント配線基板、１１，２１…切欠部、　１３〜１５，２３〜２５…ランド、　１６，１７，２６，２７…配線パターン、　１８，２８…切欠部１１、２１を左右に２分する垂直面、　３…ノーマルクローズ端子、　３３…ノーマルクローズ端子３の接続部、　４…コモン端子、　４３…コモン端子４の接続部、　５…インシュレータ、　６…シェル、　６２…シェル６の本体部、　６２ａ…上側本体部、　６２ｂ…下側本体部、　６３…シェル６の接続部、　６５…シェル６のほぼ中心を通る垂直面、　　６６…シェル６のほぼ中心を通る水平面、　７…ハウジング、　７２…ハウジング７の本体部、　７２ａ…上側本体部、　７２ｂ…下側本体部、　７４…　ハウジング７のほぼ中心を通る垂直面、　　７５…ハウジング７のほぼ中心を通る水平面、　７６ａ…第１上側本体部、　７６ｂ…第１下側本体部、　７７ａ…第２上側本体部、　７７ｂ…第２下側本体部、　８２，８３ａ〜８３ｅ…ハウジング７の嵌合側に形成されたキー溝、　９…相手方コネクタ、　１０…スイッチ付き同軸コネクタ。
【図１】
2004071411.tif 000003
【図２】
2004071411.tif 000004
【図３】
2004071411.tif 000005
【図４】
2004071411.tif 000006
【図５】
2004071411.tif 000007
【図６】
2004071411.tif 000008
【図７】
2004071411.tif 000009
【図８】
2004071411.tif 000010
【図９】
2004071411.tif 000011
【図１０】
2004071411.tif 000012
【図１１】
2004071411.tif 000013
【図１２】
2004071411.tif 000014
【図１３】
2004071411.tif 000015
【図１４】
2004071411.tif 000016
【図１５】
2004071411.tif 000017
【図１６】
2004071411.tif 000018
【図１７】
2004071411.tif 000019
【図１８】
2004071411.tif 000020
【図１９】
2004071411.tif 000021
【図２０】
2004071411.tif 000022
【図２１】
2004071411.tif 000023
【図２２】
2004071411.tif 000024
【図２３】
2004071411.tif 000025
【図２４】
2004071411.tif 000026